(57)【要約】【課題】個人が既に所有している蔵書情報を、ウェブサーバにより一元的に管理可能とし、それらの蔵書情報に基づいて各個人の趣味趣向に合った書籍情報を提供可能にした個人蔵書情報管理システムを提供する。【解決手段】個人が所有する書籍に関する蔵書情報を、ウェブサーバにより一元的に管理可能とするための個人蔵書情報管理システムであって、固有の書籍ＩＤ情報が記憶された非接触ＩＣタグを備えた書籍からなる個人所有の蔵書と、前記蔵書の非接触ＩＣタグに記憶された書籍ＩＤ情報を読み取るＩＣタグリーダと、前記ＩＣタグリーダで読み取った書籍ＩＤ情報と、前記蔵書の所有者を特定する所有者ＩＤ情報とをインターネットを介して前記ウェブサーバに送信する通信端末と、前記書籍ＩＤ情報と前記所有者ＩＤ情報とを受信し、これらの情報から書籍情報と所有者情報とを関連付けてデータベースに登録するウェブサーバと、を備えることを特徴とする。【選択図】        図１
2004164454.tif 000002
【特許請求の範囲】
【請求項１】
個人が所有する書籍に関する蔵書情報を、ウェブサーバにより一元的に管理可能とするための個人蔵書情報管理システムであって、
固有の書籍ＩＤ情報が記憶された非接触ＩＣタグを備えた書籍からなる個人所有の蔵書と、
前記蔵書の非接触ＩＣタグに記憶された書籍ＩＤ情報を読み取るＩＣタグリーダと、
前記ＩＣタグリーダで読み取った書籍ＩＤ情報と、前記蔵書の所有者を特定する所有者ＩＤ情報とをインターネットを介して前記ウェブサーバに送信する通信端末と、
前記書籍ＩＤ情報と前記所有者ＩＤ情報とを受信し、これらの情報から書籍情報と所有者情報とを関連付けてデータベースに登録するウェブサーバと、
を備えることを特徴とする個人蔵書情報管理システム。
【請求項２】
前記ウェブサーバは、前記所有者のメールアドレスを含む個人情報が登録された個人情報データベースと、前記所有者の蔵書情報が前記所有者の個人情報と関連付けられて登録された蔵書情報データベースと、書籍の出版者又は販売者が前記所有者に対して、販売促進を行う書籍に関する販促書籍情報が登録された販促書籍情報データベースと、がアクセス可能に接続され、更に前記蔵書情報データベースに登録された蔵書情報に基づいて、前記販促書籍情報データベースの中から前記所有者に販売促進する販促書籍情報を選択し、前記販促書籍情報を前記所有者のメールアドレス宛てに配信する機能を有していることを特徴とする請求項１記載の個人蔵書情報管理システム。
【請求項３】
前記ウェブサーバには、前記通信端末から前記蔵書情報データベースの蔵書情報を検索することができる機能が備えられていることを特徴とする請求項１または２に記載の個人蔵書情報管理システム。
【請求項４】
前記ウェブサーバは、前記蔵書情報データベースに登録されている蔵書情報に基づいて書籍購入動向を分析する機能を有する分析用のサーバが接続され、更に、前記分析用のサーバで分析された書籍購入動向の結果に基づいて、前記所有者のメールアドレス宛てに配信する販促書籍情報を選択する機能を有していることを特徴とする請求項２記載の個人蔵書情報管理システム。
【発明の詳細な説明】
【０００１】
【発明の属する技術分野】
本発明は、書籍ＩＤ情報が記憶された非接触ＩＣタグを備えた書籍を用いて、個人が所有する書籍に関する蔵書情報を、ウェブサーバにより一元的に管理可能とするための個人蔵書情報管理システムに関する。
【０００２】
【従来の技術】
従来、個人が所有する書籍は、例えば自宅の本棚などに並べられて保管され、これら個人が所有する蔵書の数は、一般的に本好きな人ほどその数も多いといえる。
特に、蔵書を多く保有している人は、日常における書籍の購入率が高く、日頃から新刊情報に興味があったり、自分の趣味趣向にあった書籍や、好きな作家の書籍を探していたりする傾向がある。
また、更に自分にとって面白そうな書籍を探すために、複数の書店を散策するなどして常に新しい書籍情報を積極的にキャッチしようとする姿勢がある。
【０００３】
一方、出版者側は、新刊の書籍を販売する際には、新聞などに広告を掲載するなどして販売促進活動を行うが、広告を掲載した新聞を見ていない人に対しては、その新刊情報が伝わらず、日頃から広告掲載されたジャンルや作家の書籍を購入しようと思っていた人に、タイミングよく伝わらないことも考えられる。
このような不都合を改善するために、書籍を製造し販売する出版者側と、日頃から潜在的に所望のジャンルや作家等に関する書籍を求めている消費者と、の間における効率的な情報伝達により、双方にとってより効率的で便利な情報管理を行えることが望まれている。
【０００４】
また、従来、書籍情報を効率的に収集するために、書籍に書籍ＩＤ情報が記憶された非接触ＩＣタグを備えることで、書籍の配送、返品、在庫管理を行うシステムや、図書館等の蔵書情報を把握するために、ＲＦタグを書籍に取り付けておくというシステムは既に公知となっている。（例えば、特許文献１及び特許文献２参照）
しかしながら、これらのシステムでは、非接触ＩＣタグにより効率的に書籍の流通過程を把握して書籍情報の管理を行うことや、また図書館等の蔵書情報を効率的に把握するはできるが、個々の消費者のニーズに合った書籍情報を各消費者に提供することができないため、販売促進上の効果はあまり期待できない。
【０００５】
【特許文献１】
特開２００１−２４０２１７号公報
【特許文献２】
特開２００１−１６３４１７号公報
【０００６】
【発明が解決しようとする課題】
本発明は、個人が既に所有している蔵書情報を、ウェブサーバにより一元的に管理可能とすることで、それらの蔵書情報に基づいて各個人の趣味趣向に合った書籍情報を提供可能にして、書籍を製造し販売する出版者側が効率的な販売促進活動を行えるようにするとともに、所望の書籍を求めている消費者にとっても、効率的に所望の書籍を探し出すことができるようにした個人蔵書情報管理システムを提供する。
【０００７】
【課題を解決するための手段】
本発明の個人蔵書情報管理システムは、個人が所有する書籍に関する蔵書情報を、ウェブサーバにより一元的に管理可能とするための個人蔵書情報管理システムであって、固有の書籍ＩＤ情報が記憶された非接触ＩＣタグを備えた書籍からなる個人所有の蔵書と、前記蔵書の非接触ＩＣタグに記憶された書籍ＩＤ情報を読み取るＩＣタグリーダと、前記ＩＣタグリーダで読み取った書籍ＩＤ情報と、前記蔵書の所有者を特定する所有者ＩＤ情報とをインターネットを介して前記ウェブサーバに送信する通信端末と、前記書籍ＩＤ情報と前記所有者ＩＤ情報とを受信し、これらの情報から書籍情報と所有者情報とを関連付けてデータベースに登録するウェブサーバと、を備えることを特徴とする。
【０００８】
また、本発明の個人蔵書情報管理システムは、前記ウェブサーバは、前記所有者のメールアドレスを含む個人情報が登録された個人情報データベースと、前記所有者の蔵書情報が前記所有者の個人情報と関連付けられて登録された蔵書情報データベースと、書籍の出版者又は販売者が前記所有者に対して、販売促進を行う書籍に関する販促書籍情報が登録された販促書籍情報データベースと、がアクセス可能に接続され、更に前記蔵書情報データベースに登録された蔵書情報に基づいて、前記販促書籍情報データベースの中から前記所有者に販売促進する販促書籍情報を選択し、前記販促書籍情報を前記所有者のメールアドレス宛てに配信する機能を有していることを特徴とする。
【０００９】
更に、本発明の個人蔵書情報管理システムは、前記ウェブサーバには、前記通信端末から前記蔵書情報データベースの蔵書情報を検索することができる機能が備えられていることを特徴とする。
【００１０】
また、本発明の個人蔵書情報管理システムは、前記ウェブサーバは、前記蔵書情報データベースに登録されている蔵書情報に基づいて書籍購入動向を分析する機能を有する分析用のサーバが接続され、更に、前記分析用のサーバで分析された書籍購入動向の結果に基づいて、前記所有者のメールアドレス宛てに配信する販促書籍情報を選択する機能を有していることを特徴とする。
【００１１】
以下、本発明の実施の形態を図面に基づいて詳細に説明する。
図１は、本発明の実施形態に係る個人蔵書情報管理システムの構成を示す図、図２は、書籍の奥付け部分に非接触ＩＣタグを貼付した例を示す図、図３は、非接触ＩＣタグの例を示す平面図、図４は、非接触ＩＣタグを書籍の裏表紙に内蔵させた例を示す断面図、図５は、本発明の実施形態に係る個人蔵書情報管理システムにおけるウェブサーバのブロック図、図６は、本発明の実施形態に係る個人蔵書情報管理システムにおけるＩＣタグデータベースセンターのサーバのブロック図、図７は、本発明の実施形態に係る個人蔵書情報管理システムにおける出版データ分析センターのサーバのブロック図、図８は、本発明の実施形態に係る個人蔵書情報管理システムの処理手順を説明するフローチャートである。
【００１２】
本発明の個人蔵書情報管理システムでは、個人が所有する蔵書である書籍に予め非接触ＩＣタグが備えてなる非接触ＩＣタグ付き書籍１（以下、書籍１ともいう。）を使用することを前提とするため、まず、この非接触ＩＣタグ付き書籍１について説明する。
この非接触ＩＣタグ付き書籍１は、書籍の所望の部分に非接触ＩＣタグ３を設けたものであり、非接触ＩＣタグリーダライタでの読み取りや書込みなどが可能であれば、非接触ＩＣタグ３を書籍に設ける部分や仕様は特に限定されるものではない。
ここで、書籍とは、書籍、雑誌、ビデオ、ＤＶＤ、ＣＤなどの著作物を含む。
非接触ＩＣタグ３を書籍に貼付する場合は、書籍が電磁遮蔽効果のある金属製の表紙等をもつ場合の他、いずれの箇所に貼付しても構わない。
【００１３】
図２は、書籍１の奥付け部分１ａに非接触ＩＣタグ３を貼付した例である。
非接触ＩＣタグ３は、書籍の表紙や裏表紙などの書籍の外面部分に貼付しても良いが、他の書籍との接触や取り扱い時の物理的外力により剥離することもあるので、表紙の内面側や裏表紙の内面側などの直接外面に表れない部分に設けることが好ましい。
実際には、非接触ＩＣタグ３を書籍の表紙面や表紙裏面、裏表紙面や裏表紙裏面、奥付け部、その他の書籍内の任意な紙面、あるいは表紙カバーやブックケース等に貼付させたり、内蔵させたりする。
【００１４】
図３に示すように、非接触ＩＣタグ３は、通常は金属層を積層した紙やプラスチック基材にアンテナ用のコイルパターン３３を金属層にエッチング形成しＩＣチップ３２を接続することにより形成できる。
非接触ＩＣタグ３に記録する事項としては、例えば、書籍の識別コードである書籍ＩＤ情報、ＩＣタグ自体の識別コード、書名、発行所名、発行日、著者名、版数、売価などがある。
書籍の識別コードである書籍ＩＤ情報やＩＣタグ自体の識別コードは、タグまたは書籍毎に重複したコードを付することを避けため、コード付与の統一した管理基準を設ける必要がある。
【００１５】
図３は、非接触ＩＣタグ３の例を示す図である。
非接触ＩＣタグ３は非接触データキャリアやＦＲ−ＩＤともいわれ、プラスチック等の基材３１にコイルパターン３３を形成し、当該コイルと容量素子とにより共振回路を形成して一定周波数の電波を受信し送信することができる。
また、他の方式として、リーダライタからの搬送波の電磁誘導により電力伝送及びデータ伝送を行うようにしてもよい。
一般的には１３５ｋＨｚ（中波）、１３．５６ＭＨｚ、２．４５ＧＨｚ（マイクロ波）の周波数帯が使用される。
図示した例の場合、コイルパターン３３は導通部材３４により基材３１の裏面でジャンピング回路を形成してコイル接続端子３３ＣによりＩＣチップ３２の裏面のバンプに接続している。
【００１６】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターン３３を形成し、ＩＣチップ３２を装着し、保護用の被覆を設けることにより形成することができる。
その大きさも３０ｍｍ×３０ｍｍ程度以下のサイズとすることができる。
【００１７】
非接触ＩＣタグ３に使用する樹脂基材３１としては、ＰＥＴやポリプロピレン、ポリエチレン、ポリスチレン、ナイロン等の各種材料を使用することができ紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００１８】
これらの記録した情報の読み取りは、非接触ＩＣタグ３対して共振する呼び出し信号を発信し、数ｃｍから数十ｃｍの距離でタグからの応答信号を読み、且つタグに記録することができる。
装置としては固定した常設のリーダライタ付きターミナルやのほか、無線式のハンディー通信端末等を使用することができる。
【００１９】
また、図４には、非接触ＩＣタグ３を２枚の紙片３５ａ，３５ｂの間に挟み込んだ状態の断面図を示しているが、このように書籍の表紙や裏表紙等の書籍の一部を構成する紙片に非接触ＩＣタグ３を内蔵させると、外観上も通常の書籍と違和感がないので好ましい。
【００２０】
次に、本発明の実施形態に係る個人蔵書情報管理システムの概要を、図１に基づいて説明する。
図１に示すように、予め会員化された本システムの利用者の自宅４には、蔵書として本棚５などに複数の非接触ＩＣタグ付き書籍１が保管されているものとする。
更に、利用者の自宅４には、パソコンなどの通信端末６と、無線式ハンディータイプのＩＣタグリーダ７と、この通信端末６に接続されＩＣタグリーダ７との間で非接触により信号の送受信を行うアンテナ装置８と、が設けられている。
【００２１】
尚、これら無線式ハンディータイプのＩＣタグリーダ７の代わりに、有線式のＩＣタグリーダを使用してもよく、その場合には、アンテナ装置８を設けないで、そのＩＣタグリーダ７を直接、通信端末６に接続する。
また、通信端末６は、通信網９を介して蔵書情報管理センター１０のウェブサーバ１１と通信可能に接続されている。
【００２２】
利用者自身の蔵書である書籍１に、ＩＣタグリーダ７を近づけることで書籍１に備えられている非接触ＩＣタグ３に記憶されている書籍ＩＤ情報を読み取ることができるようにしてあり、更に、通信網９を介して蔵書情報管理センター１０に備えられているウェブサーバ１１に対して、書籍ＩＤ情報を送信できるようにしてある。
また、通信端末６からウェブサーバ１１に書籍ＩＤ情報を送信する際には、通信端末６の記憶手段に予め記憶させた所有者ＩＤ情報と共に送信するようにして、送信者が特定できるようにしてある。
【００２３】
ウェブサーバ１１には、個人情報データベース１２、蔵書情報データベース１３、書籍内容情報データベース１４、販促書籍情報データベース１５が備えられている。
個人情報データベース１２には、予め利用者を会員化させることで、利用者の個人情報と、各利用者毎に定めた固有の会員番号とを関連付けて登録させてある。
利用者の個人情報としては、メールアドレス、氏名、住所、電話番号、生年月日、性別、などがある。
【００２４】
蔵書情報データベース１３には、少なくとも、利用者の通信端末６から送られてきた書籍ＩＤ情報が、それらの書籍１を保有している利用者の会員番号と関連付けられて登録されており、この他に、例えば書籍名、作者、発行者などが会員番号と関連付けられて登録されている。
【００２５】
書籍内容情報データベース１４には、書籍毎の内容がデジタルデータ及び画像データで登録され、これらの情報により各書籍の内容を通信端末６により入手して見ることが可能にしてある。
販促書籍情報データベース１５には、出版社などが利用者に対して今後販売促進を行うための書籍を特定して、事前に書籍情報を登録させておくものであり、販売促進を行いたい書籍の書籍ＩＤ情報や、それらの販促情報を利用者に配信する予定の日付情報や、配信先を選択する際の条件情報などを登録させておく。
【００２６】
更に、蔵書情報管理センター１０のウェブサーバ１１には、インターネット９を介して通信端末６と通信を行う通信手段２３と、蔵書情報データベース１３に登録されている各利用者毎の蔵書情報に基づいて、各所有者の書籍に対する趣味趣向の傾向を分析して、その所有者が購入の可能性の高い書籍を販促書籍情報データベース１５に登録されている書籍の中から選択して抽出する販促書籍情報抽出手段２４と、前記販促書籍情報抽出手段２４で選択された販促書籍情報を、前記個人情報データベース１２に登録されているメールアドレス宛てに配信する配信処理手段２５と、通信端末６からのアクセスにより、蔵書情報データベース１３と書籍内容情報データベース１４に登録されている蔵書情報と書籍内容情報とを検索することができる検索手段２６と、制御手段２７とが備えられている。
【００２７】
販促書籍情報抽出手段２４における、蔵書情報に基づく各所有者の書籍に対する趣味趣向の傾向の分析手法としては、蔵書情報データベース１３に登録されている蔵書情報に基づく定量分析を行うもので、例えばデータマイニング手法のように蔵書情報データベース１３に登録されている蔵書情報に基づいて、蔵書の規則性や法則性を発見して、これらの分析結果から各所有者の購買意欲が高いと予測される書籍を調査可能にしてある。
これらの分析手法は、上記に限らず種々の手法を用いることができる。
【００２８】
具体的には、あるＡと言う作家の書籍を蔵書として保有している所有者が、Ｂと言う作家の書籍を保有している確率が高い場合には、今後の販売促進活動において、現在、Ａと言う作家の書籍だけを保有している所有者に対して、販売促進としてＢと言う作家の書籍について紹介を行うことで、紹介した書籍について購入の可能性が高くなると予想されるということになる。
【００２９】
また、ＩＣタグデータベースセンター１６には、出版された書籍について、書店などでの流通過程における在庫情報として、書籍ＩＤ情報と関連付けられて書籍名、作者、発行者などの情報が登録されている在庫書籍データベース２０と、書籍ＩＤ情報と関連付けられて出版された書籍の書籍名、作者、発行者、書籍内容などの情報が登録されている書誌データベース２１とが接続されているサーバ１７が備えられている。
このサーバ１７には、通信手段２８、制御手段２９、検索手段３０が備えられ、書籍を探す場合でも在庫書籍データベース２０により、どの書店にその書籍が在庫としてあるか否かを検索して簡単に探し出すことができるようにしてある。
【００３０】
また、出版データ分析センター１８には、レコメンド用分析データベース２２とが接続されているサーバ１９が備えられている。
このサーバ１９には、通信手段３１、制御手段３２、蔵書情報分析手段３３が備えられ、蔵書情報分析手段３３により蔵書情報データベース１３に登録されている蔵書情報を分析することで、蔵書の規則性や法則性を発見する機能を有している。
これらの分析は、蔵書情報管理センター１０に設置されたウェブサーバ１１の販促書籍情報抽出手段２４においても、同様の機能を備えて行えるようにして、より高度な分析を出版データ分析センター１８で行うようにするなど分析の役割分担をするようにすることが好ましい。
【００３１】
蔵書情報管理センター１０のウェブサーバ１１は、ＩＣタグデータベースセンター１６のサーバ１７及び出版データ分析センター１８のサーバ１９と通信可能に接続されていて、必要に応じて書籍に備えられたＩＣタグの書籍ＩＤ情報から在庫情報を検索したり、販売促進用の分析情報を出版データ分析センター１８のサーバ１９から入手可能にしてある。
【００３２】
また、蔵書情報管理センター１０のウェブサーバ１１には、インターネット９及び携帯電話回線網３１を介して携帯電話機３２からもアクセス可能に接続されていて、携帯電話機３２から蔵書情報管理センター１０の蔵書情報データベース１３と書籍内容情報データベース１４に登録されている蔵書情報と書籍内容情報とを検索してそれらの情報を入手できるようにしてある。
【００３３】
次に、本発明の個人蔵書情報管理システムの処理手順を図８のフローチャートに基づいて説明する。
まず、予め会員化された利用者（所有者とも言う。）は、自宅４の本棚５などに所有している蔵書である書籍１に、ＩＣタグリーダ７を近づけることで書籍１に備えられている非接触ＩＣタグ３に記憶されている書籍ＩＤ情報を読み取る。（ステップＳ１）
ＩＣタグリーダ７で読み取られた書籍ＩＤ情報は、通信端末６からインターネット９を介して蔵書情報管理センター１０に備えられているウェブサーバ１１に対して、この書籍ＩＤ情報と共に所有者ＩＤ情報を送信する。（ステップＳ２）
【００３４】
書籍ＩＤ情報と所有者ＩＤ情報とを受信したウェブサーバ１１は、蔵書情報データベース１３に書籍ＩＤ情報と所有者ＩＤ情報が関連付けられて登録する。（ステップＳ３）
また、この書籍ＩＤ情報に基づいて、ＩＣタグデータベースセンター１６の書誌データベース２１から、関連付けられて登録されている書籍の書籍名、作者、発行者、書籍内容などの情報が抽出されて、蔵書情報データベース１３に登録する。（ステップＳ４）
更に、この所有者ＩＤ情報に基づいて、個人情報データベース１２に登録されている利用者のメールアドレス、氏名、住所、電話番号、生年月日、性別、などの個人情報を、蔵書情報データベース１３に書籍ＩＤ情報、所有者ＩＤ情報、蔵書情報と関連付けて登録する。（ステップＳ５）
【００３５】
次に、販促書籍情報抽出手段２４により蔵書情報データベース１３に登録されている蔵書情報に基づいて、販促書籍情報データベース１５に登録されている書籍の中から、販売促進を行なう書籍情報を抽出する。（ステップＳ６）
次に、個人情報データベース１２に登録されているメールアドレス宛てに、販売促進用の書籍情報を配信する。（ステップＳ７）
【００３６】
【発明の効果】
以上説明したように、本発明の個人蔵書情報管理システムは、個人が既に所有している蔵書の書籍に備えられている非接触ＩＣタグに記憶されている書籍ＩＤ情報を読み取り、ウェブサーバに送信することで、ウェブサーバにより個人蔵書情報を一元的に管理することができるという効果がある。
また、それらの蔵書情報に基づいて、各個人の趣味趣向に合った書籍情報を提供することができ、書籍を製造し販売する出版者側が効率的な販売促進活動を行えると共に、消費者にとっても効率的に所望の書籍を探し出せるという効果がある。
更に、蔵書情報データベースに登録されている蔵書情報を検索可能とすることで、他人の蔵書からも書籍情報を収集することができるという効果がある。
また、蔵書情報に基づく書籍購入動向を分析可能とすることで、効率的な書籍販売促進を行うことができるという効果がある。
【図面の簡単な説明】
【図１】本発明の実施形態に係る個人蔵書情報管理システムの構成を示す図である。
【図２】書籍の奥付け部分に非接触ＩＣタグを貼付した例を示す図である。
【図３】非接触ＩＣタグの例を示す平面図である。
【図４】非接触ＩＣタグを書籍の裏表紙に内蔵させた例を示す断面図である。
【図５】本発明の実施形態に係る個人蔵書情報管理システムにおけるウェブサーバのブロック図である。
【図６】本発明の実施形態に係る個人蔵書情報管理システムにおけるＩＣタグデータベースセンターのサーバのブロック図である。
【図７】本発明の実施形態に係る個人蔵書情報管理システムにおける出版データ分析センターのサーバのブロック図である。
【図８】本発明の実施形態に係る個人蔵書情報管理システムの処理手順を説明するフローチャートである。
【符号の説明】
１  書籍
１ａ  書籍の奥付け部分
３  非接触ＩＣタグ
４  利用者の自宅
５  本棚
６  通信端末
７  ＩＣタグリーダ
９  インターネット
１０  蔵書情報管理センター
１１  ウェブサーバ
１２  個人情報データベース
１３  蔵書情報データベース
１４  書籍内容情報データベース
１５  販促書籍情報データベース
１６  ＩＣタグデータベースセンター
１７，１９  サーバ
２０  在庫書籍データベース
２１  書誌データベース
２２  レコメンド用分析データベース
２３，２８，３１  通信手段
２４  販促書籍情報抽出手段
２５  配信処理手段
２６，３０  検索手段
２７，２９，３２  制御手段
３１  基材
３２  ＩＣチップ
３３  コイルパターン
３３Ｃ  コイル接続端子
３４  導通部材
３５ａ，３５ｂ  紙片
【図１】
2004164454.tif 000003
【図２】
2004164454.tif 000004
【図３】
2004164454.tif 000005
【図４】
2004164454.tif 000006
【図５】
2004164454.tif 000007
【図６】
2004164454.tif 000008
【図７】
2004164454.tif 000009
【図８】
2004164454.tif 000010